(57)【要約】  錠シリンダは、この錠シリンダを「学習」モードに置くことができるリセット状態を有する。「学習」モードにおいて、元の鍵は取り外され、置き換え鍵と交換することができ、この置き換え鍵が取り外されたとき、錠シリンダ１０は新しい鍵に再設定される。元の鍵は、鍵が再設定された錠シリンダ１０を動作させることはなくなる。
2010506069.tif 000002
【特許請求の範囲】
【請求項１】
長手方向軸と長手方向に延びるセグメント化された溝をもつシリンダ・ハウジング
を含み、前記セグメントは第１特徴により分離されており、
定位置とリセット位置との間で回転するために前記シリンダ・ハウジング内に配置されたプラグ本体と、
回転のため、及び前記リセット位置と学習位置との間で、そこに対する長手方向の移動のために前記プラグ本体に隣接して配置された、チャンバを含むキャリアと、
前記プラグ本体内に配置された複数のピンと、
前記キャリア内に配置された複数のラック、
を含み、前記ラックは、前記キャリアが前記定位置及び前記リセット位置にあるときは前記ピンと係合しており、前記キャリアが前記学習位置にあるときは前記ピンと係合しておらず、
選択的に前記シリンダ・ハウジングと係合するように、前記キャリアに対する半径方向の移動のために前記チャンバ内に配置されたロッキング・バー
を含み、前記ロッキング・バーは第２の特徴をさらに含み、前記第１の特徴及び前記第２の特徴は、前記キャリアが前記第１の位置にあるときは前記ロッキング・バーが前記溝に入らないように協働し、前記キャリアが前記学習位置にあるときは前記ロッキング・バーを前記溝内に保持する、
ことを特徴とする鍵の再設定が可能な錠シリンダ。
【請求項２】
前記第１の特徴及び前記第２の特徴の一方はブリッジであり、他方は前記ブリッジを受け入れるように構成されたノッチであることを特徴とする請求項１に記載の錠シリンダ。
【請求項３】
長手方向軸と長手方向に延びるセグメント化された溝をもつシリンダ・ハウジングと、
前記シリンダ・ハウジング内に配置されたプラグ本体と、
前記シリンダ・ハウジング内で、第１の位置から学習位置への長手方向の移動のために前記プラグ本体に隣接して配置されたキャリアと、
前記プラグ本体内に配置された複数のピンと、
前記ピンと係合するために前記キャリア内に配置された複数のラックと、
前記キャリア内に配置されたセグメント化されたロッキング・バー
を含み、前記ロッキング・バーのセグメント化は前記溝のセグメント化と相補的なものであり、前記ロッキング・バーは、前記キャリアが前記学習位置にあるとき前記溝内に配置され、前記溝と協働して前記キャリアを前記学習位置に保持する、
ことを特徴とする鍵の再設定が可な能錠シリンダ。
【請求項４】
前記セグメント化された溝は、ブリッジによって分離された第１のセグメント及び第２のセグメントを含むことを特徴とする請求項３に記載の錠シリンダ。
【請求項５】
前記ロッキング・バーは、前記ブリッジを受け入れるように構成されたノッチによって分離された第１のセグメント及び第２のセグメントを含むことを特徴とする請求項４に記載の錠シリンダ。
【請求項６】
前記第１の特徴及び前記第２の特徴の一方はブリッジであり、他方は前記ブリッジを受け入れるように構成されたノッチであることを特徴とする請求項３に記載の錠シリンダ。
【請求項７】
長手方向軸と、ハウジング内に形成された第１の特徴によって分離された少なくとも２つのセグメントを有する長手方向に延びる溝をもつシリンダ・ハウジングと、
前記シリンダ・ハウジング内に配置され、プラグ本体及びキャリアを含むプラグ組立体
を含み、前記キャリアは第１の位置と学習位置との間で前記プラグ本体に対して長手方向に移動可能であり、
前記溝に入るように構成され、前記第１の特徴と相補的な第２の特徴を有するロッキング・バー
を含み、前記第１の特徴は前記キャリアが前記学習位置にあるとき前記第２の特徴と係合しており、前記キャリアは前記第１の特徴と前記第２の特徴との間の係合によって前記学習位置に保持される、
ことを特徴とする鍵の再設定が可能な錠シリンダ。
【請求項８】
前記第１の特徴はブリッジを含み、前記第２の特徴はノッチを含むことを特徴とする請求項７に記載の錠シリンダ。
【請求項９】
鍵の再設定が可能な錠シリンダの鍵を再設定するための方法であって、
長手方向軸と、ハウジング内に形成された第１の特徴によって分離された少なくとも２つのセグメントをもつ長手方向に延びる溝を有するシリンダ・ハウジングを準備し、
前記シリンダ・ハウジング内に配置されるプラグ組立体を準備し、
前記プラグ組立体はプラグ本体及びキャリアを含み、前記キャリアは第１の位置と学習位置との間で前記プラグ本体に対して長手方向に移動可能であり、
前記第１の特徴と相補的な第２の特徴を有し、前記溝に入るように構成されたロッキング・バーを準備し、
前記第１の特徴は前記ロッキング・バーが前記溝にあるとき前記第２の特徴と係合しており、前記キャリアは前記第１の特徴と前記第２の特徴との間の係合によって学習位置に保持されており、
前記プラグ組立体が定位置にあるときは、有効鍵を前記プラグ組立体に挿入し、前記プラグ組立体を回転させ、
前記キャリアを前記学習位置に移動させ、前記キャリアが学習位置にあるとき、前記有効鍵を取り外して置き換え鍵を挿入し、
前記プラグ組立体を前記定位置に回転させる、
ステップを含むことを特徴とする方法。
【請求項１０】
前記キャリアを前記学習位置に移動させるステップは、前記ロッキング・バーを前記溝に移動させるステップを含むことを特徴とする請求項９に記載の方法。
【請求項１１】
前記プラグ組立体を前記定位置に回転させるステップは、前記ロッキング・バーを前記溝から解放するステップを含むことを特徴とする請求項９に記載の方法。
【請求項１２】
前記ロッキング・バーを解放するステップは、前記キャリアを前記学習位置から前記第１の位置に付勢するステップを含むことを特徴とする請求項１１に記載の方法。
【発明の詳細な説明】
【技術分野】
【０００１】
本発明は、一般に錠シリンダに関し、特定的には、鍵の再設定が可能な錠シリンダに関する。より特定的には、本発明は、その場で、マスターキーを使わずに鍵の再設定が可能な錠シリンダに関する。
【背景技術】
【０００２】
通常の錠シリンダの鍵を再設定する仕事は、錠シリンダを錠設置場所から取り外し、次いでこれを分解することを含むため、専門の錠前師に任せるのが最良であるとされてきた。元のピンは、次いで新しい鍵の刻み目に適応するように異なるピンと置き換えられ、錠は新たに組み立てられる。このことは、錠セット及びシリンダ機構の実際上の知識を必要とし、置き換えピンに対するアクセスを必要とする。
【０００３】
これらの考慮事項は、通常の消費者は怖気づかせ、専門の錠前師を頼むか或いは新しい錠セットを買うきっかけになる。いずれにしても、消費者はお金を払わなければならない。その上、専門家は適当なツールを用いて従来のシリンダを容易に開けることができる。
【０００４】
本発明は、通常の錠シリンダのこのような及びその他の不利益を克服する。本発明の錠シリンダは、現行のシリンダと同様、錠シリンダに鍵を挿入し、その鍵を回転させるというありふれた経験を提示する明白な方法で作用する。しかしながら、本発明において、その同様のありふれた経験が錠シリンダの鍵を再設定するのに用いられる。したがって、ユーザは、本発明の錠シリンダの鍵を再設定するために、どのような特別な知識、トレーニング、又はツールも必要としない。
【発明の概要】
【０００５】
鍵の再設定が可能な錠シリンダは、ハウジングとプラグ組立体とを含む。プラグ組立体は、プラグ本体及びキャリアと、プラグ本体内に配置された複数のピンと、ピンと係合するためにキャリア内に配置された複数のラックと、ハウジングと係合するためにキャリア内に配置されたロッキング・バーとを含む。プラグ本体が、ハウジング内で定位置から第２の位置に回転するとき、ロッキング・バーはハウジング内に形成されたリセット溝と位置合わせする。プラグ組立体が第２位置にあるとき、キャリアは、学習位置に向かってプラグ本体に対して長手方向に移動して、ロッキング・バーがリセット溝に入ることを可能にし、それによってキャリアを学習位置にロックする。同時に、ラックはピンから外れる。学習位置において、元の鍵は取り外され、置き換え鍵が錠シリンダに挿入される。ラックから外れると、ピンは自由に置き換え鍵の合い形に対応するようになる。置き換え鍵が錠シリンダ内にある状態で、プラグ組立体は第２位置から回転されて、キャリアを学習位置ではない状態に移動させ、ラックがキャリアの移動に応じてピンと再係合するようにし、その結果錠シリンダは、置き換え鍵に合わせられる。
【０００６】
動作中に、ユーザは有効鍵を錠に挿入してプラグ組立体をリセット位置まで回転させる。ユーザは次いで、ツールを錠面の孔に挿入する、或いは内部に備えられたプッシュボタン又は同様のものを押し下げることによってキャリアを押し付ける。キャリアを押し付けることにより、それを学習位置に長手方向に移動させ、そこでロッキング・バーは、シリンダ・ハウジング側壁のリセット溝と係合する。ロッキング・バーの特徴は、リセット溝内で相補的な特徴と協働し、キャリアを学習位置に保持する。
【０００７】
キャリアが学習位置にあるとき、ユーザは有効鍵を抜き取り、異なる合い形の置き換え鍵を挿入し、プラグ組立体をリセット位置から回転させる。プラグ組立体の回転は、カム作用によりロッキング・バーをリセット溝の外に出し、付勢ばねがキャリアを元の位置に戻すことを可能にする。この時点で、錠シリンダは置き換え鍵と合わされ、元の有効鍵は錠前を動作させることはなくなる。
【０００８】
添付の図面及び添付の請求項により考察されるとき、その他の特徴及び利点が、以下の説明によって明らかになるであろう。
【図面の簡単な説明】
【０００９】
【図１】本発明による錠シリンダの分解図である。
【図２】プラグ組立体の斜視図である。
【図３】図２のプラグ組立体の平面図である。
【図４】図１の錠シリンダ・ハウジングの斜視図である。
【図５】図４の線５−５に沿ってみた断面図である。
【図６】図４の線６−６に沿ってみた断面図である。
【図７】ロックされた構成における、組み立てられた錠シリンダを通る断面図である。
【図８】鍵穴に有効鍵が入った、組み立てられた錠シリンダを通る断面図である。
【図９】プラグ組立体がシリンダ・ハウジング内で９０度だけ回転された、組み立てられた錠シリンダを通る断面図である。
【図１０】図９の線１０−１０に沿ってみた断面図である。
【図１１】学習構成における組み立てられた錠シリンダを通る断面図である。
【図１２】図１１の線１２−１２に沿ってみた断面図である。
【発明を実施するための形態】
【００１０】
通常の錠シリンダと同様、本シリンダ１０は、ロック状態及びロック解除状態を有する。しかしながら、本発明の錠シリンダ１０はさらに、錠シリンダを「学習」モードに置くことができるリセット状態を含む。「学習」モードで、元の鍵を取り外し、別な鍵と置き換えることができ、その新しい鍵が取り外されたときには、錠シリンダ１０は新しい鍵に再設定される。元の鍵は、鍵が再設定された錠シリンダ１０を動作させることはなくなる。
本発明による錠シリンダ１０は、図１ないし図２に示されており、長手方向軸１４を有するシリンダ・ハウジング１２と、プラグ組立体１６と、リテーナ１７とを含む。プラグ組立体１６は、複数のピン・チャンバ２０を規定するプラグ本体１８と、複数のスロット２４を規定するキャリア２２とを含む。プラグ本体１８はさらに、通常、複数のリセット位置合わせ特徴４８を有する一般に平らな表面４６を含む。リテーナ１７は、プラグ組立体１６をシリンダ・ハウジング１２内に保持するために、プラグ本体１８に刻まれた溝４４と係合する。
【００１１】
複数のピン２６及びばね２８は、ピン・チャンバ２０内に配置され、複数のラック３２は、スロット２４内に配置される。ロッキング・バー３４及び付勢ばね３６は、キャリア２２に形成されたロッキング・バー受け入れチャンバ３８内に配置される。
【００１２】
図７において最もよく示されるように、各々のラック３２は、そのピンに面する縁に複数のギア歯５４及び位置合わせノッチ５６を含み、反対の縁にロッキング・バー受け入れノッチ５８を含む。好ましいピン２６は、一般的に、円筒形の側壁５０と、側壁から延びてラック３２のギア歯５４と係合するフィンガ５２すなわちギア歯をもつ。従来の錠におけるのと同様、ピン２６は、鍵７８の合い形と共に動くようにピン・チャンバ２０内に配置されている。しかしながら、本発明の錠シリンダでは、ラック３２とピン２６との係合は、ラック３２がスロット３４内で上下に移動することを生じさせる。図７で示されるように、有効鍵７８が錠シリンダ１０に挿入されるとき、位置合わせノッチ５６は、リセット位置合わせ特徴４８とぴったりと合う。
【００１３】
ロッキング・バー３４は、係合縁４０及びロッキング縁４２を含み、ロッキング縁はさらにリセット・ノッチ４２Ａを含む。有効鍵７８が錠シリンダ１０に挿入されるとき、ロッキング・バー３４の係合縁４０は、ロッキング・バー受け入れノッチ５８と位置合わせされる。
【００１４】
図２及び図３は、ロック状態の錠シリンダ１０を表しているが、明確にするために、シリンダ・ハウジング１２は除かれている。示されるように、キャリアばね６０は標準的に、プラグ表面６２に隣接する前方位置の方向にキャリア２２を付勢する。ロッキング・バー３４は、ロッキング・バー受け入れチャンバ３８内に配置され、付勢ばね３６によって外向きに付勢される。図３は、ピン２６と係合したラック３２及びキャリア２２を超えて延びるロッキング・バー３４を示す。
【００１５】
シリンダ・ハウジング１２は、図４から図６で示されるように、一般的に円筒形の側壁と、アクセスパネル６６と、ばねリテーナ６８とを含む。側壁は、正反対に向かい合ったリセット溝７０及びロッキング溝７４の対を規定する内部表面６４を有する。図１１に関して以下で説明されるように、錠シリンダ１０がロック状態（図７参照）にあるとき、ロッキング溝７４はロッキング・バー３４を受け入れ、錠シリンダが学習位置にあるとき、リセット溝７０の１つはロッキング・バー３４を受け入れる。
【００１６】
リセット溝７０は、ブリッジ７２によって分離された、前方セグメント７０ａ及び後方セグメント７０ｂにセグメント化されている。ブリッジ７２は、ロッキング・バー３４がリセット溝７０に入ることを可能にするように、ロッキング・バーのリセット・ノッチ４２ａを入るような大きさにされ、そのように構成される。しかしながら、ロッキング・バー３４は、標準的に、リセット・ノッチ４２ａとブリッジ７２との位置合わせを避けるためにキャリアばね６０によって付勢されている。
【００１７】
図示される錠シリンダ１０は、２つのリセット位置を提供するために２つのリセット溝７０を用いるが、鍵を再設定する機能の動作のためには、１つのリセット溝７０だけが必要である。錠の中で鍵がどちらの方向に回転するかに応じて、鍵を再設定する動作の間に、リセット溝７０の１つはロッキング・バー３４を受け入れる。
【００１８】
図７は、ロック解除状態の錠シリンダ１０を示す。ロッキング・バー３４は、ラック３２によってロッキング溝７４に保持され、その結果プラグ組立体１６がシリンダ・ハウジング１２内で回転するのを防ぐ。図８は、有効鍵７８が鍵穴に挿入された、錠シリンダ１０を示す。図に示すように、ピン２６は、鍵７８の上に乗り、それによりラック３２を持ち上げて、ラックのロッキング・バー受け入れノッチ５８をロッキング・バー３４と位置合わせする。ロッキング・バー受け入れノッチ５８は、ロッキング・バー３４に対して適度なゆとりを与えて、カム作用によりロッキング溝７４の完全に外に出し、プラグ組立体１６が、シリンダ・ハウジング１２内で、図９から図１２において示される状態に回転できるようにしている。
【００１９】
図９及び図１０は、錠シリンダ１０がロック解除された状態及びリセット状態にある、錠シリンダ１０を示す。この構成においては、ロッキング・バー３４は、リセット溝７０の１つと位置合わせされているが、キャリアばね６０は、キャリア２２をプラグ表面６２に対して付勢して、ブリッジ７２とロック・バー・リセット・ノッチ４２ａとの間に不整合を生じさせている。この不整合により、ブリッジ７２はロッキング・バー３４がリセット溝７０に入るのを防いでいる。しかしながら、この状態において、キャリア２２は図１１及び図１２で示される学習位置に長手方向に移動することができ、そこでラック３４はピン２６から外れ、錠シリンダ１０は鍵を再設定することができる。
【００２０】
図１１及び図１２は、学習位置に対するキャリア２２を示す。ユーザは、プラグ表面６２に形成された孔７６を通ってリセット・ツール８０を挿入し、キャリア２２に対して押し付ける。キャリア２２が移動するとき、複合的な動きが殆ど同時に起きる。第１に、ラック３２がピン２６との係合から外れる。ラック３２がピン２６から外れると、ラックの位置合わせノッチ５６はリセット位置合わせ特徴４８を受け入れ、その結果ロッキング・バー３４とラック３２との間の位置合わせを維持する。ラック３２とピン２６が完全に外れたとき、ロッキング・バーのリセット・ノッチ４２ａは、ブリッジ７２と位置合わせし、これを受け入れて、ロッキング・バー３４がばね３６の付勢力の下でリセット溝７０に入ることを可能にする。リセット・ノッチ４２ａを入れることによって、ブリッジ７２はロッキング・バー３４を保持し、その結果キャリア２２を学習位置に保持する。
【００２１】
シリンダ・ハウジング側壁がノッチを含み、ロッキング・バーがブリッジを含むように、リセット・ノッチ及びブリッジを切り換えることができることが理解される。キャリアを学習位置に移動しても、依然として、キャリアを学習位置に保持するように、ブリッジ及びノッチは係合したままになる。
【００２２】
学習位置において、ピン２６は、上下に自由に移動することができるので、その結果鍵７８が抜き取られ、異なる鍵に置き換えることができる。置き替え鍵が挿入されると、ピン２６はその鍵の合い形に従う。置き替えの鍵が完全に挿入されたとき、ユーザは錠シリンダ１０を回転してリセット状態ではなくなるようにし、それによるカム作用で、ロッキング・バー３４をリセット溝７０から外す。カム作用によりロッキング・バー３４がリセット溝７０の外に出ると、それは再びラック３２のロッキング・バー受け取りノッチと係合する。同時に、ブリッジ７２はロッキング・バーのリセット・ノッチ４２ａから抜け、キャリア２２が、キャリアばね６０の付勢力の下でプラグ面６２に向かって長手方向に移動することを可能にする。キャリア２２がプラグ表面６０に向かって移動すると、ラック３２はピン２６と再び係合するが、今度はピン２６及びラック３２は置き替え鍵に対応するように設定される。
【００２３】
もちろん、上述の実施形態は、本発明の範囲を制限するものとして理解されるべきではない。添付の請求項で規定されるように、本発明の精神及び範囲内で修正及びその他の代替構成が成されるのは明らかであろう。例えば、シリンダ・ハウジング側壁のセグメント化された溝は、前後のセグメントを分けるブリッジではなく、ソケットを有することができる。したがって、ロッキング・バーは、ノッチに取って代わる突起を有し、キャリアの学習位置への移動はその突起がソケットに入ることを生じさせる。
【図１】
2010506069.tif 000003
【図２】
2010506069.tif 000004
【図３】
2010506069.tif 000005
【図４】
2010506069.tif 000006
【図５】
2010506069.tif 000007
【図６】
2010506069.tif 000008
【図７】
2010506069.tif 000009
【図８】
2010506069.tif 000010
【図９】
2010506069.tif 000011
【図１０】
2010506069.tif 000012
【図１１】
2010506069.tif 000013
【図１２】
2010506069.tif 000014
【国際調査報告】
2010506069.tif 000015